【事件の表示】
　特願２０１１−２４２４７９「Ｘ線ＣＴ装置」拒絶査定不服審判事件〔平成２４年　３月１５日出願公開，特開２０１２−　５０８５３〕について，次のとおり審決する。
【結　論】
　本件審判の請求は，成り立たない。
【理　由】
第１　手続の経緯
　本願は、平成１８年９月１１日（以下「出願遡及日」という。）に出願した特願２００６−２４５８８５号の一部を平成２３年１１月４日に新たな特許出願としたものであって，平成２４年４月２３日付けで拒絶理由が通知され，同年７月９日付けで意見書及び手続補正書が提出され，平成２４年１１月３０日付で拒絶査定がされたのに対し，平成２５年３月１日に拒絶査定不服の審判請求がされるとともに，同日付で手続補正（以下「本件補正」という。）がなされたものである。
　
第２　本件補正についての補正却下の決定
　
［補正却下の決定の結論］
　本件補正を却下する。
　
［理由］
１　補正後の請求項１に係る発明
　本件補正により，特許請求の範囲の請求項１は，
「【請求項１】
　被検体にＸ線を曝射するＸ線管と、
　前記被検体を透過したＸ線を含むＸ線を検出する、スライス方向に複数のＸ線検出素子を有するＸ線検出器と、
　前記複数のＸ線検出素子にそれぞれ対応するＸ線検出データを収集するデータ収集手段と、
　前記Ｘ線検出データから前記複数のＸ線検出素子にそれぞれ対応する生データを生成する生データ生成手段と、
　前記生データから指定可能な出力用の画像データ
であって
幅のス
　前記複数スライス位置の単位画像データを記憶装置に記憶させるデータ記憶制御手段と、
　前記スライス方向の位置ごとに前記スライス厚を設定するスライス厚設定手段と、
　前記スライス厚が設定される度に前記記憶装置に記憶された複数スライス位置の単位画像データに基づいて、前記設定された位置ごとに、前記設定されたスライス厚に対応する出力画像データを生成する出力画像データ生成手段と、
を有することを特徴とするＸ線ＣＴ装置。」（下線は補正箇所を示す。）と補正された。
　
２　補正事項について
　補正前の請求項１の「画像データの、前記Ｘ線検出素子の前記スライス方向の幅の自然数倍のスライス厚以下であり、前記Ｘ線検出素子の前記スライス方向の幅の自然数倍のスライス厚を有する複数スライス位置の単位画像データ」を「画像データ
であって
幅のス
　
　そこで，本件補正後の請求項１に係る発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
３　引用刊行物及びその記載事項
（１）本願の出願遡及日前に頒布され，原査定の拒絶の理由に引用された刊行物である特開２００２−８５３５５号公報（以下「引用例１」という。）には，次の事項が記載されている。なお，以下の摘記事項においては，引用発明の認定に関連する箇所に下線を付与した。
（１−ア）「【０００３】近年の技術進歩に伴って、複数のスライスを同時に計測することが可能なマルチスライス型のＸ線ＣＴ装置が普及してきた。この
マルチスライス型のＸ線ＣＴ装置を用いたＸ線ＣＴ計測は、Ｘ線源および多層検出器からなる撮影系を備えた走査駆動部と
多層検出器で検出された投影データを収集するデータ収集手段と、収集された投影データから被検体のＸ線吸収係数分布を再構成像として再構成する再構成演算手段
【０００４】ただし、本願明細書中において、多層検出器とは、１個の検出器セル（検出素子）または２個以上の検出器セルを撮像系の回転方向に一列に配列した検出器アレイを、回転軸方向に２段以上並設した１次元検出器あるいは２次元検出器であり、検出器セルが円筒あるいは多面体の表面の一部をなすように配列された検出器を指すものとする。現在、実用化されているシングルスライス型のＸ線断層撮影装置のほとんどは、多数の検出素子が前記回転方向に沿って、円弧上に配置された検出器を用いているいわゆる単層検出器型Ｘ線ＣＴ装置であった。これに対して、多層検出器は、この検出器がさらに回転軸方向に対しても列すなわち層をなしており、ゆえに多層型あるいはマルチスライス型と呼んで区別することとする。また、本願明細書中では、Ｘ線検出器で得られた画像のデータを投影データ、投影データから再構成されたＣＴ像やＭＲＩで得られたＮＭＲ像を再構成像、各再構成像から生成された表示用の画像を断層像、加算処理によって得られた画像像を加算断層像（あるいは加算画像）と記す。
　・・・
【０００６】この多層検出器は、通常、回転軸方向の開口幅が２．５ｍｍ程度に設定された構成となっていた。このために、マルチスライス型のＸ線ＣＴ装置で撮像された投影データから得られた各断層像のスライス厚は、検出器の開口幅である２．５ｍｍ程度であった。従って、従来のシングルスライス型のＸ線ＣＴ装置のように、１０ｍｍ程度の比較的厚いスライスでの断層像を順番に表示手段に表示させて病変部位を特定した後に、病変部位を含む領域を２．５ｍｍ程度の比較的薄いスライスでの断層像により病変部位の細密な観察を可能とするために、従来のマルチスライス型のＸ線ＣＴ装置は、隣接する２．５ｍｍのスライス厚の断層像（あるいは再構成像）を複数毎加算し、所望のスライス厚の断層像を生成する機能を備えていた。」
　
（１−イ）「【００２７】・・・
ただし、実効スライス厚及び位置は、以下に示す式１及び式２でそれぞれ算出される。
  実効スライス厚＝（再構成像データのスライス厚）×（加算枚数）・・・式１
　位置＝（加算範囲の再構成像データの撮像位置の和）／（加算枚数）・・式２
【００２８】次に、図９に示す演算処理手段１１の動作を説明するための動作フローに基づいて、その動作を説明する。 本動作フローの開始は、キーボード１６あるいはマウス１５からの入力による画像診断の開始であり、この開始指示に基づいて転送手段が
診断対象となる再構成像データ及び画像リスト１を再構成像データ記憶手段１３からメモリ１２に転送
【００２９】次に、設定手段が加算枚数（加算枚数値）及び中心となる再構成像の位置（再構成像の位置の値）を再構成像データ記憶手段１３からメモリ１２に読み込む（ステップ９０２）。ただし、加算枚数及び中心となる再構成像の位置は、予めキーボード１６からの入力によって設定された値であり、この加算枚数及び中心となる再構成像の位置は再構成像データ以外であるが、実施の形態１では再構成像データ記憶手段１３に格納される。 次に、ステップ９０１でメモリ１２に転送された画像リスト１を変換手段が表示手段２２の画面２４上に表示する（ステップ９０３）。
【００３０】続いて、
メモリ１２に設定された加算枚数と中心となる再構成像位置との値に基づいて、枠生成手段が画像リスト１に表示する枠を生成
画像リスト１に表示される撮像位置及び撮像番号と、メモリ１２に設定された加算枚数及び中心となる再構成像位置とに基づいて、抽出手段がメモリ１２に格納される再構成像データから加算対象となる再構成像データの撮像番号すなわち画面２４上の枠で囲まれる撮像番号を抽出
【００３１】次に、
加算処理手段が抽出された撮像番号に対応する再構成像データの同一画素位置毎の画素値の平均値を演算
付帯情報生成手段が得られた加算処理後の再構成像データの実効スライス厚とその中心位置とを算出し付帯情報を生成
【００３２】次に、
画像生成手段が加算処理後の再構成像データから表示用の画像である断層像（加算画像）を生成
【００３３】この表示後に、キーボード１６に配置される第１設定手段１７及び第２設定手段１８並びに画像更新ボタン２０からの入力待ちとなり（ステップ９１０）、このステップ９１０で第１設定手段１７及び第２設定手段１８並びに画像更新ボタン２０からの入力がなされた場合には、計算手段がその入力に基づいてメモリ１２内に設定されている加算枚数及び又は中心となる再構成像位置を演算し、得られた加算枚数及び／又は中心となる再構成像位置をメモリ１２に設定した後に、ステップ９０４に戻り、以降キーボード１６あるいはマウス１５からの画像診断の終了が入力されるまでステップ９０４〜９１１が繰り返される（ステップ９１１）。」
　
（１−ウ）【図９】として，以下の図面が記載されている。
　
（１−エ）「【００３７】すなわち、第１設定手段１７を回転させると、再構成像データの中心スライス位置すなわち中心となる再構成像の位置を中心に、枠１０２ａが図３の破線で示す枠１０２ｂのように拡大または縮小されて、加算枚数を任意に変更できるようになっており、第２設定手段１８を回転させると、枠１０３ａが図３の破線で示す枠１０３ｂへ移動されて、再構成像データの加算範囲を任意に送ることができるようになっている。」
　
（１−オ）【図３】として，以下の図面が記載されている。
　
（１−カ）「【００４１】一方、前述の操作で病変等の異常が発見され、さらに細かく観察する必要がある場合は、ステップ４０３でマウス１５を操作して、図６の（ハ）に示すように、病変が存在しそうな範囲（位置１０６ａ〜位置１０６ｂで示す範囲）に再構成像データスタート位置１０１ａ及び画像データエンド位置１０１ｂを移動させる。そしてこの状態で第１設定手段１７を、図６の（ニ）に示すように、例えば左方向に回転させて枠１０７ａを枠１０７ｂまで縮小し、さらに細かく観察するために加算枚数を減少させる（ステップ４０４）。これによって、表示手段２２の画面２４には、加算枚数を減少され１枚の断層像である加算画像２３として表示されるので、表示された加算画像２３を細かく観察することによって、病変等の異常を性格に診断できるようになる。」
　
（１−キ）「【００４６】すなわち、大まかに病変部位置の特定を行うための表示画像である加算画像２３を生成するための負荷を低減することが可能となるので、比較的厚いスライスの断層像と、病変部の詳細な観察を行うための薄いスライスの断層像との表示の切り替えをリアルタイムに行え、検者の負担を低減させると共に速やかな加算画像２３の観察及び診断を行うことができる。」
　
　してみれば，上記引用例１の記載事項を総合すると，引用例１には，以下の発明が記載されていると認められる。
「Ｘ線源および多層検出器からなる撮影系を備えた走査駆動部と，多層検出器で検出された投影データを収集するデータ収集手段と，収集された投影データから被検体のＸ線吸収係数分布を再構成像として再構成する再構成演算手段とを有する，マルチスライス型のＸ線ＣＴ装置であって，さらに，
　再構成像データ及び画像リスト１が記憶される再構成像データ記憶手段１３，それらが転送されるメモリ１２，
　メモリ１２に設定された加算枚数と中心となる再構成像位置との値に基づいて、画像リスト１に表示する枠を生成する枠生成手段，
　画像リスト１に表示される撮像位置及び撮像番号と，メモリ１２に設定された加算枚数及び中心となる再構成像位置とに基づいて，メモリ１２に格納される再構成像データから加算対象となる再構成像データの撮像番号すなわち画面２４上の枠で囲まれる撮像番号を抽出する抽出手段，
　抽出された撮像番号に対応する再構成像データの同一画素位置毎の画素値の平均値を演算する加算処理手段，
　得られた加算処理後の再構成像データの実効スライス厚とその中心位置とを算出し付帯情報を生成する付帯情報生成手段，
　加算処理後の再構成像データから表示用の画像である断層像（加算画像）を生成する画像生成手段，
　を備えた装置。」（以下「引用発明」という。）
　
（２）本願の出願遡及日前に頒布され，原査定の拒絶の理由に引用された刊行物である特開２０００−３１６８４１号公報（以下「引用例２」という。）には，次の事項が記載されている。
（２−ア）「【０００１】
【発明の属する技術分野】本発明は、Ｘ線減衰測定による医学的画像を作るために使用されるＸ線CT装置に係り、特に同時に複数スライスの画像計測を行うことができるマルチスライスＸ線CT装置に関する。」
　
（２−イ）「【００７２】図１５〜図１７は、2〜5mm厚さの単一スライスの計測を行う場合の動作を示している。各図において、Ｘ線検出素子アレイ10に入射するＸ線ビーム（スライス方向）60はスライス方向コリメータ61によりそれぞれ2mm、3mm、5mmに絞られて、Ｘ線検出素子1のシンチレータ2に入射する。スイッチ回路5は、スイッチ制御信号68により、中心部分の４個のＸ線検出素子1のフォトダイオード3の出力信号を取出して４個の増幅回路40に送るように設定される。増幅回路40の出力は、画像再構成回路50に送られ、４枚のスライス画像に再構成される。さらにこの４枚の画像は、次段の画像加算回路51にて全てが加算されて、１枚の画像が得られる。」
　
（１−ウ）【図１７】には，以下のように，一つのＸ線検出素子(1)から画像再構成回路(50)によって一つのスライス画像を再構成することが記載されている。
　
４　対比・判断
（１）対比
　本願補正発明と引用発明とを対比する。　
ア　引用発明の「Ｘ線源」は，本願補正発明の「被検体にＸ線を曝射するＸ線管」に相当する。
　
イ　引用発明の「多層検出器」は，摘記（１−ア）の【０００４】からスライス方向にも複数のＸ線検出素子を有するものであるから，本願補正発明の「被検体を透過したＸ線を含むＸ線を検出する、スライス方向に複数のＸ線検出素子を有するＸ線検出器」に相当する。
　
ウ　引用発明の「多層検出器で検出された投影データを収集するデータ収集手段」における「投影データ」は，各検出器に対応するもので，本願補正発明の「Ｘ線検出素子にそれぞれ対応する生データ」に相当するから，引用発明の「多層検出器で検出された投影データを収集するデータ収集手段」は，本願補正発明の「複数のＸ線検出素子にそれぞれ対応するＸ線検出データを収集するデータ収集手段」と「前記Ｘ線検出データから前記複数のＸ線検出素子にそれぞれ対応する生データを生成する生データ生成手段」の両手段の機能を備えたものに相当する。
　
エ　引用発明の「収集された投影データから被検体のＸ線吸収係数分布を再構成像として再構成する再構成演算手段」における「再構成像」は，収集された投影データからのもので画像として表示されるものであるから，本願補正発明の「生データから指定可能な出力用の画像」に相当し，その「再構成像」のデータである「再構成像データ」は，摘記（１−イ）の式１「実効スライス厚＝（再構成像データのスライス厚）×（加算枚数）」及び式２「位置＝（加算範囲の再構成像データの撮像位置の和）／（加算枚数）」のとおり，本願補正発明の「スライス厚を有する複数スライス位置の単位画像データ」に相当するものである。
　してみれば，引用発明の「収集された投影データから被検体のＸ線吸収係数分布を再構成像として再構成する再構成演算手段」と，本願補正発明の「生データから指定可能な出力用の画像データであって、前記Ｘ線検出素子の前記スライス方向の幅のスライス厚を有する複数スライス位置の単位画像データを生成する単位画像データ生成手段」とは，「生データから指定可能な出力用の画像データであって、スライス厚を有する複数スライス位置の単位画像データを生成する単位画像データ生成手段」の点で共通するものである。
　
オ　引用発明の「再構成像データ及び画像リスト１が記憶される再構成像データ記憶手段１３，それらが転送されるメモリ１２」は，本願補正発明の「複数スライス位置の単位画像データを記憶装置に記憶させるデータ記憶制御手段」に相当する。
　
カ　引用発明の「メモリ１２に設定された加算枚数と中心となる再構成像位置との値に基づいて、画像リスト１に表示する枠を生成する枠生成手段」は，摘記（１−エ）及び【図３】のように，その枠によってスライス方向の位置ごとにスライス厚を設定することができることから，本願補正発明の「スライス方向の位置ごとに前記スライス厚を設定するスライス厚設定手段」に相当する。
　
キ　引用発明の「画像リスト１に表示される撮像位置及び撮像番号と，メモリ１２に設定された加算枚数及び中心となる再構成像位置とに基づいて，メモリ１２に格納される再構成像データから加算対象となる再構成像データの撮像番号すなわち画面２４上の枠で囲まれる撮像番号を抽出する抽出手段」，「抽出された撮像番号に対応する再構成像データの同一画素位置毎の画素値の平均値を演算する加算処理手段」及び「加算処理後の再構成像データから表示用の画像である断層像（加算画像）を生成する画像生成手段」は，本願補正発明の「記憶装置に記憶された複数スライス位置の単位画像データに基づいて、前記設定された位置ごとに、前記設定されたスライス厚に対応する出力画像データを生成する出力画像データ生成手段」に相当し，それは摘記（１−イ）の【００３３】及び【図９】より「スライス厚が設定される度に」すなわち「枠」が変更される度に繰り返されることから，本願補正発明と同様に「前記スライス厚が設定される度に」行われるものである。
　
　してみれば，本願補正発明と引用発明とは，
（一致点）
「被検体にＸ線を曝射するＸ線管と，
　前記被検体を透過したＸ線を含むＸ線を検出する，スライス方向に複数のＸ線検出素子を有するＸ線検出器と，
　前記複数のＸ線検出素子にそれぞれ対応するＸ線検出データを収集するデータ収集手段と，
　前記Ｘ線検出データから前記複数のＸ線検出素子にそれぞれ対応する生データを生成する生データ生成手段と，
　前記生データから指定可能な出力用の画像データであって，スライス厚を有する複数スライス位置の単位画像データを生成する単位画像データ生成手段と，
　前記複数スライス位置の単位画像データを記憶装置に記憶させるデータ記憶制御手段と，
　前記スライス方向の位置ごとに前記スライス厚を設定するスライス厚設定手段と，
　前記スライス厚が設定される度に前記記憶装置に記憶された複数スライス位置の単位画像データに基づいて，前記設定された位置ごとに，前記設定されたスライス厚に対応する出力画像データを生成する出力画像データ生成手段と，
を有するＸ線ＣＴ装置」
の点で一致し，以下の点で相違する。
　
（相違点）
　単位画像データのスライス厚が，本願補正発明では，「Ｘ線検出素子のスライス方向の幅」であるのに対し，引用発明では，不明である点。
　
（２）当審の判断
　引用発明は，摘記（１−カ）に記載されているとおり，病変などの異常がある場合には，細かく観察する必要があるものであるから，加算処理を施す再構成像データは，スライス方向にできるだけ薄いものに対応することが好ましいものである。この点につき，摘記（１−ア）の【０００６】には，加算画像を生成するためのスライス画像が，多層検出器の開口幅程度のものとしている点が記載されている。
　また，例えば，引用例２に記載されているように，マルチスライス型のＸ線ＣＴ装置において，所望の厚さの加算画像を一つのＸ線検出素子からのスライス画像を用いて得るようにすることは，本願の出願遡及日前に周知のことである。
　してみれば，引用発明において，より細かく観察しようとして，再構成像データ（単位画像データ）を一つの検出素子からのものとする，すなわち，単位画像データのスライス厚を「Ｘ線検出素子のスライス方向の幅」とすることは，当業者が容易になしえたことである。
　そして，本願補正発明に基づく効果として，本願明細書では，
「【発明の効果】
【００３４】
　本発明に係るＸ線ＣＴ装置においては、より少ないデータ処理量で、より短時間に所望のスライス厚の画像データを再構成することができる。」と記載しているが，引用発明においても，引用例１の【図９】に記載されているように，生データまでもどることなく，保存している再構成像データに加算処理等を施すことにより必要とされる加算画像が得られており，摘記（１−キ）に「比較的厚いスライスの断層像と、病変部の詳細な観察を行うための薄いスライスの断層像との表示の切り替えをリアルタイムに行え、検者の負担を低減させると共に速やかな加算画像２３の観察及び診断を行うことができる」と記載されていることから，上記本願補正発明に基づく効果は格別顕著なものではない。
　
　したがって，本願補正発明は，引用発明及び周知技術に基いて，当業者が容易に発明をすることができたものであるから，特許法２９条２項の規定により特許出願の際独立して特許を受けることができないものである。
　
５　まとめ
　以上のとおり，本件補正は，平成１８年改正前特許法第１７条の２第５項において準用する同法第１２６条第５項の規定に違反するものであり，同法第１５９条第１項において読み替えて準用する同法第５３条第１項の規定により却下されるべきものである。
　
　
第３　本願発明について
　
１　本願発明
　本件補正は上記のとおり却下されることとなるので，本願の請求項１及び２に係る発明は，平成２４年７月９日付け手続補正書により補正された特許請求の範囲の請求項１及び２に記載された事項により特定されるものであるところ，その請求項１に係る発明（以下「本願発明」という。）は，次のとおりのものである。
「【請求項１】
　被検体にＸ線を曝射するＸ線管と、
　前記被検体を透過したＸ線を含むＸ線を検出する、スライス方向に複数のＸ線検出素子を有するＸ線検出器と、
　前記複数のＸ線検出素子にそれぞれ対応するＸ線検出データを収集するデータ収集手段と、
　前記Ｘ線検出データから前記複数のＸ線検出素子にそれぞれ対応する生データを生成する生データ生成手段と、
　前記生データから指定可能な出力用の画像データの、前記Ｘ線検出素子の前記スライス方向の幅の自然数倍のスライス厚以下であり、前記Ｘ線検出素子の前記スライス方向の幅の自然数倍のスライス厚を有する複数スライス位置の単位画像データを生成する単位画像データ生成手段と、
　前記複数スライス位置の単位画像データを記憶装置に記憶させるデータ記憶制御手段と、
　前記スライス方向の位置ごとに前記スライス厚を設定するスライス厚設定手段と、
　前記スライス厚が設定される度に前記記憶装置に記憶された複数スライス位置の単位画像データに基づいて、前記設定された位置ごとに、前記設定されたスライス厚に対応する出力画像データを生成する出力画像データ生成手段と、
を有することを特徴とするＸ線ＣＴ装置。」
　
２　引用刊行物及びその記載事項 
　原査定の拒絶の理由に引用された刊行物である上記引用例１及び２の記載事項は，上記「第２」「３　引用刊行物及びその記載事項」に記載したとおりである。 
   
３　対比・判断 
　上記「第２」「２　補正事項について」に記載したとおり，本願補正発明は，本願発明の「自然数倍」を「１倍」にしたものであるから，本願発明は，本願補正発明の「１倍」を「自然数倍」に拡張した発明といえる。その本願補正発明が，前記「第２」「４　対比・判断」に記載したとおり，引用発明及び周知技術に基いて当業者が容易に発明することができたものである以上，「１倍」を含む「自然数倍」である本願発明も同様の理由により，当業者が容易に発明をすることができたものである。 
   
第４　むすび 
　以上のとおり，本願発明は，特許法第２９条第２項の規定により特許を受けることができないから，その余の請求項に係る発明について言及するまでもなく，本願は拒絶されるべきものである。 
   
　よって，結論のとおり，審決する。